(57)【要約】【課題】機器本体の電気的接続線を接続する端子部分の構成を簡素化し、小型化し、スマートにデザインできる光学機器を提供する。【解決手段】光学機器本体１０に設けた三脚ネジ穴１２内の穴底部分から、被接続接点部１４の先端部を所定長さ延出し、かつ被接続接点部１４を伸縮動作可能に装着する。被接続接点部１４には、電気的接続線を接続する。三脚ネジ穴１２は、その内部に接続接点部２６を挿入保持した状態で、被接続接点部１４に接続接点部２６が電気的に接続されるように構成する。この接続接点部２６には、電気的接続線を接続する。これにより三脚ネジ穴の構造をそのまま利用して、接続接点部２６に被接続接点部１４が電気的に接続され、被接続接点部１４に電気的接続線を接続している光学機器と、接続接点部２６に電気的接続線で接続された外部機器と、の間で送信若しくは受信若しくは送受信又は電力の供給が可能な状態とする。【選択図】　図２
2004056539.tif 000002
【特許請求の範囲】
【請求項１】
光学機器本体に設けた三脚ネジ穴内に、電気的接続線が接続された被接続接点部を装着し、
外部側の電気的接続線が接続された接続接点部が設けられた前記三脚ネジ穴に螺挿される締結ねじを、前記三脚ネジ穴に螺挿した際に、前記被接続接点部と前記接続接点部とが電気的に接続されるよう構成したことを特徴とする光学機器。
【請求項２】
光学機器本体に設けた三脚ネジ穴内に、電気的接続線が接続されると共に、前記三脚ネジ穴内の穴底部分から、先端部を所定長さ延出し、かつ伸縮動作可能に被接続接点部を装着し、
外部側の電気的接続線が接続された接続接点部が設けられた前記三脚ネジ穴に螺挿される締結ねじを、前記三脚ネジ穴に螺挿した際に、前記被接続接点部と前記接続接点部とが電気的に接続されるよう構成したことを特徴とする光学機器。
【請求項３】
光学機器本体に設けた三脚ネジ穴内の穴底部分に開口する孔状の挿入孔を形成し、
前記光学機器本体側の電気的接続線が接続された被接続接点部を、前記挿入孔内に先端部を延出させるように臨ませ、かつ伸縮動作可能に装着し、
前記三脚ネジ穴に螺挿する締結ねじに設けた外部側の電気的接続線が接続された接続接点部に形成された前記締結ねじの先端面から所定高さ突出させた接続突出頭部が、前記締結ねじを前記三脚ネジ穴内に螺挿し前記挿入孔内に前記接続突出頭部を挿入した際に、前記光学機器本体側の前記被接続接点部に電気的に接続されるように構成したことを特徴とする光学機器。
【請求項４】
前記三脚ネジ穴と前記被接続接点部との間を電気的に絶縁して構成し、
前記接続接点部を、これを保持する部材から電気的に絶縁して構成し、
前記三脚ネジ穴に一般の締結ねじが締結された際、前記被接続接点部と前記三脚ネジ穴の雌ねじを切った部分とが同電位であるときに、外部機器との間で送信若しくは受信又は送受信が不可能な状態と判断し、外部機器と送信若しくは受信又は送受信する機能を自動的に停止させるための接続状態の判別手段を設けたことを特徴とする請求項１乃至請求項３の何れかに記載の光学機器。
【請求項５】
光学機器本体に設けた三脚ネジ穴と組み合わせて利用することにより光学機器本体の回り止めを可能なように、前記三脚ネジ穴の近くに回り止め穴を形成し、
前記回り止め穴内に、前記光学機器本体側の電気的接続線が接続された被接続接点部を装着し、
外部側の電気的接続線が接続された接続接点部が設けられた前記回り止め穴に挿入される回り止め部材を、前記回り止め穴に挿入した際に、前記被接続接点部と前記接続接点部とが電気的に接続されるよう構成したことを特徴とする光学機器。
【発明の詳細な説明】
【０００１】
【発明の属する技術分野】
この発明は、電気信号線又は電力供給線等の電気的接続線を、電気的に接続可能とした光学機器に関する。
【０００２】
【従来の技術】
一般に、電子装置を備えた光学機器として、いわゆる電子カメラ（デジタルカメラ）又はいわゆるビデオムービ（カメラ一体型ビデオテープレコーダ）等が広く使われている。
【０００３】
従来の電子装置を備えた光学機器には、例えば特開平９−１８８２１号（特願平７−１８４７３９号）公報に記載された、ビデオムービ（カメラ一体型ビデオテープレコーダ）がある。
【０００４】
このカメラ一体型ビデオテープレコーダでは、例えば、このカメラ一体型ビデオテープレコーダで再生したビデオ信号およびオーディオ信号（以下、これらをまとめてＡＶ信号と称する）をテレビジョン受像機に伝送する際、これらの機器をケーブルで接続する必要がある。そこで、これらの機器の接続を容易にするため、常時テレビジョン受像機とケーブルで接続され、ＡＶ信号を伝送するためのアダプタ（以下、ステーションと称する）が実用化されている。
【０００５】
このステーションを用いたＡＶ信号伝送システムでは、ステーションがＡＶ信号を伝送するためのケーブルでテレビジョン受像機と接続されている。このステーション上には、カメラ一体型ビデオテープレコーダが乗せられる。このカメラ一体型ビデオテープレコーダのＡＶ信号出力部とステーションに設けられたＡＶ信号入力部とが、ＡＶ信号を赤外線信号に変換して空間伝送する手段によって接続され、カメラ一体型ビデオテープレコーダで再生されたＡＶ信号がテレビジョン受像機に伝送される。
【０００６】
この場合、カメラ一体型ビデオテープレコーダとステーションとの間に配置されるＡＶ信号を赤外線信号に変換して空間伝送する手段は、カメラ一体型ビデオテープレコーダの外観をデザイン的にスマートにするため、次のように構成する。
【０００７】
このカメラ一体型ビデオテープレコーダには、その底部に設けられた三脚取り付け用のネジ穴の閉塞部に、再生されたビデオおよび／またはオーディオ信号を変調し赤外線信号に変換し送信する赤外線発光手段としての発光ダイオードによる赤外線発光素子が取り付けられ、ネジ穴の開口部に向け赤外線信号が照射可能なようにされている。この赤外線発光素子によって発生された赤外線信号は、ネジ穴を光路として、その上面にカメラ一体型ビデオテープレコーダが置かれるようにされたステーションに取り付けられた赤外線受光素子によって受信され、電気信号に変換され、ＡＶ信号とされる。
【０００８】
このＡＶ信号は、例えば、ケーブルを介してテレビジョン受像機に伝送される。このカメラ一体型ビデオテープレコーダでは、三脚の取り付け用のネジ穴に設けられたスイッチの状態に応じて、赤外線発光手段のＯＮ／ＯＦＦを切り替えるように構成して、赤外線信号の送信が必要ある時にのみ赤外線を発光するようにしている。
【０００９】
【発明が解決しようとする課題】
上述のような従来のカメラ一体型ビデオテープレコーダでは、その三脚取り付け用のネジ穴部分に、再生されたビデオおよび／またはオーディオ信号を変調し赤外線信号に変換し送信する赤外線発光手段を設けると共に、赤外線発光手段のＯＮ／ＯＦＦを切り替えるスイッチを設けるように構成する。
【００１０】
このため、ビデオおよび／またはオーディオ信号を変調し赤外線信号に変換するための回路が別途必要となる。しかも三脚取り付け用のネジ穴の狭い部分に、赤外線発光素子とスイッチとを設置せねばならないので、小型の部品を多数設置せねばならず構造も複雑になり、製品が高価になるという問題がある。
【００１１】
本発明は上記事実に鑑み、機器本体に配置される電気的接続線を接続する端子部分の構成を簡素化すると共に、電気的接続線の接続端子専用となるスペースを削減して小型化可能とし、デザイン的にスマートにできる光学機器を新たに提供することを目的とする。
【００１２】
【課題を解決するための手段】
本発明の光学機器は、第１に、光学機器本体に設けた三脚ネジ穴内に、電気的接続線が接続された被接続接点部を装着し、外部側の電気的接続線が接続された接続接点部が設けられた三脚ネジ穴に螺挿される締結ねじを、三脚ネジ穴に螺挿した際に、被接続接点部と接続接点部とが電気的に接続されるよう構成したことを特徴とする。
【００１３】
上述のように構成することにより、三脚ネジ穴の構造をそのまま利用して、三脚ネジ穴内に締結ねじに設けた接続接点部を挿入保持した状態とし、この接続接点部に三脚ネジ穴内に装着した被接続接点部を電気的に接続させる。これにより、被接続接点部に電気的接続線が接続された光学機器と接続接点部に電気的接続線で接続された外部機器との間で送信若しくは受信又は送受信が可能な状態とできる。よって光学機器の外面部分に設ける三脚ネジ穴と接続端子部分とを兼用させて、これら両者の構成を一体化し簡素な構成とし余分な接続端子専用の穴部を設けないで済むようにして省スペース化を計り、光学機器を小型化できるとと共に、外観をデザイン的にスマートにできる。
【００１４】
第２に、光学機器本体に設けた三脚ネジ穴内に、電気的接続線が接続されると共に、三脚ネジ穴内の穴底部分から、先端部を所定長さ延出し、かつ伸縮動作可能に被接続接点部を装着し、外部側の電気的接続線が接続された接続接点部が設けられた三脚ネジ穴に螺挿される締結ねじを、三脚ネジ穴に螺挿した際に、被接続接点部と接続接点部とが電気的に接続されるよう構成したことを特徴とする。
【００１５】
上述のように構成することにより、三脚ネジ穴の構造をそのまま利用して、三脚ネジ穴内に接続接点部を挿入保持した状態とし、この接続接点部に三脚ネジ穴内に装着した被接続接点部を電気的に接続させる。この際、三脚ネジ穴内の穴底部分から先端部を延出する被接続接点部が伸縮動作して、締結ねじに設けられた接続接点部に対して確実に電気的に接続された状態を維持する。これにより、被接続接点部に電気的接続線が接続された光学機器と接続接点部に電気的接続線で接続された外部機器との間で送信若しくは受信若しくは送受信又は電力の供給が可能な状態とできる。よって光学機器の外面部分に設ける三脚ネジ穴と接続端子部分とを兼用させて、これら両者の構成を一体化し簡素な構成とし余分な接続端子専用の穴部を設けないで済むようにして省スペース化を計り、光学機器を小型化できるとと共に、外観をデザイン的にスマートにできる。
【００１６】
第３に、光学機器本体に設けた三脚ネジ穴内の穴底部分に開口する孔状の挿入孔を形成し、光学機器本体側の電気的接続線が接続された被接続接点部を、挿入孔内に先端部を延出させるように臨ませ、かつ伸縮動作可能に装着し、三脚ネジ穴に螺挿する締結ねじに設けた外部側の電気的接続線が接続された接続接点部に形成された締結ねじの先端面から所定高さ突出させた接続突出頭部が、締結ねじを三脚ネジ穴内に螺挿し挿入孔内に接続突出頭部を挿入した際に、光学機器本体側の被接続接点部に電気的に接続されるように構成したことを特徴とする。
【００１７】
上述のように構成することにより、三脚ネジ穴内に締結ねじを締結し接続接点部を挿入保持した状態とした際、この接続接点部の接続突出頭部が三脚ネジ穴の底面にある挿入孔内に挿入されて被接続接点部と電気的に接続される。これにより、被接続接点部に電気的接続線が接続された光学機器と接続接点部に電気的接続線で接続された外部機器との間で送信若しくは受信若しくは送受信又は電力の供給が可能な状態とできる。また、三脚ネジ穴内に一般の締結ねじが締結された場合には、一般の締結ねじの先端面部は平らであるから、この一般の締結ねじの先端面部に被接続接点部が接続することを防止できる。よって、接続突出頭部を有する特定の締結ねじ以外のものが被接続接点部と電気的に接続されることを回避できる。
【００１８】
さらに、光学機器の外面部分に設ける三脚ネジ穴と接続端子部分とを兼用させて、これら両者の構成を一体化し簡素な構成とし、余分な接続端子専用の穴部を設けないで済むようにして省スペース化を計り、光学機器を小型化できるとと共に、外観をデザイン的にスマートにできる。
【００１９】
第４に、請求項１乃至請求項３の何れかに記載の光学機器において、三脚ネジ穴と被接続接点部との間を電気的に絶縁して構成し、接続接点部を、これを保持する部材から電気的に絶縁して構成し、三脚ネジ穴に一般の締結ねじが締結された際、被接続接点部と三脚ネジ穴の雌ねじを切った部分とが同電位であるときに、外部機器との間で送信若しくは受信若しくは送受信又は電力の供給が不可能な状態と判断し、外部機器と送信若しくは受信若しくは送受信又は電力の供給をする機能を自動的に停止させるための接続状態の判別手段を設けたことを特徴とする。
【００２０】
上述のように構成することにより、請求項１乃至請求項３の何れかに記載の光学機器の作用、効果に加えて、三脚ネジ穴に対して、一般の締結ねじが締結されたときは、被接続接点部と三脚ネジ穴の雌ねじを切った部分とが同電位であることを接続状態の判別手段が検知することになるので、外部機器と送信若しくは受信若しくは送受信又は電力の供給をする機能を自動的に停止させることができ、外部機器と送信若しくは受信若しくは送受信又は電力の供給をする機能が誤動作されることを回避できる。
【００２１】
第５に、光学機器本体に設けた三脚ネジ穴と組み合わせて利用することにより光学機器本体の回り止めを可能なように、三脚ネジ穴の近くに回り止め穴を形成し、回り止め穴内に、光学機器本体側の電気的接続線が接続された被接続接点部を装着し、外部側の電気的接続線が接続された接続接点部が設けられた回り止め穴に挿入される回り止め部材を、回り止め穴に挿入した際に、被接続接点部と接続接点部とが電気的に接続されるよう構成したことを特徴とする。
【００２２】
上述のように構成することにより、三脚ネジ穴に付随する回り止め穴の構造をそのまま利用して、回り止め穴内に回り止め部材に設けた接続接点部を挿入保持した状態とし、この接続接点部に回り止め穴内に装着した被接続接点部を電気的に接続させる。これにより、被接続接点部に電気的接続線が接続された光学機器と接続接点部に電気的接続線で接続された外部機器との間で送信若しくは受信若しくは送受信又は電力の供給が可能な状態とできる。よって光学機器の外面部分に設ける回り止め穴と接続端子部分とを兼用させて、これら両者の構成を一体化し簡素な構成とし余分な接続端子専用の穴部を設けないで済むようにして省スペース化を計り、光学機器を小型化できるとと共に、外観をデザイン的にスマートにできる。
【００２３】
なお、外部機器側の接続すべき所定の電気的接続線を接続する接続構造を、光学機器本体に設けた三脚ネジ穴と、回り止め穴との２組に構成した場合には、２つのルートで別々の信号を同時に送受信することが可能となるから、映像信号、音声信号、制御信号等の各種の信号を２つのルートを通じてより効率良く、かつ送受信にかかる時間を半減するといったように迅速に送受信でき、雑音も入らないように送受信できる。さらに、２つのルートを使ってアナログ信号とデジタル信号とを別々に送受信でき、加えて２つのルートを使って別々の電子機器に同時に送受信することもできる。
【００２４】
【発明の実施の形態】
以下、本発明の光学機器に関する第１実施の形態について、図１乃至図３により説明する。本第１実施の形態に係わる光学機器は、図１に示すように、小型縦型のカメラとして構成する。
【００２５】
この小型縦型のカメラ本体１０は、縦長な矩形状に形成し、その底部中央にＪＩＳ又はＩＳＯ規格の雌ねじを切った三脚ネジ穴１２を配置する。この小型縦型のカメラ本体１０は、その三脚ネジ穴１２に、三脚１５の台部に設置した雄ねじである締結ねじ２４を螺挿することによって、カメラ本体１０を三脚１５に固定した状態にして撮影の作業を行えるようにする。
【００２６】
これと共に、小型縦型のカメラ本体１０には、その三脚ネジ穴１２部分に、電気信号線又は電力供給線等の電気的接続線を接続する接続構造を設ける。
【００２７】
図２及び図３に示すように小型縦型のカメラ本体１０には、電気信号線又は電力供給線等の電気的接続線を接続する接続構造の一方の部分として、三脚ネジ穴１２の穴底（閉塞部）中央部分に挿通孔部１８を構成し、この挿通孔部１８の中心部に穿孔した貫通孔内に被接続接点部である接続針部１４を摺動自在に挿通する。さらに、この接続針部１４は、その後端をケース１７との間に架設した圧縮コイルばね１６で押すように付勢し、被接続接点部である接続針部１４の先端部が、三脚ネジ穴１２の穴底の貫通孔から所定長さ延出すると共に、伸縮動作可能なように装着する。
【００２８】
この被接続接点部である接続針部１４は、電気的な接続を確実かつ良好にするため、導電性の良好な材料で形成すると共に、その先端部を円錐状に尖った頭部に形成する。なお、接続針部１４には、三脚ネジ穴１２の穴底の貫通孔から抜け落ちないようにするストッパを設ける。
【００２９】
このカメラ本体１０では、図示しないが、その内部に設置した電気通信手段（インタフェース、電気信号の送信又は受信を行うための通信回線、その他の電気信号を利用した通信手段）又は電力供給手段から引き出した電気信号線又は電力供給線等の電気的接続線を被接続接点部である接続針部１４に接続する。
【００３０】
また、三脚ネジ穴１２の穴底（閉塞部）部分には、接続針部１４と三脚ネジ穴１２の雌ねじ部分との間で電気的に絶縁するため、挿通孔部１８の周囲を取り巻くように絶縁部材２０を配置する。
【００３１】
図２及び図３に示すように、小型縦型のカメラ本体１０の三脚ネジ穴１２部分に接続された状態で電気信号線又は電力供給線等の電気的接続線を接続する接続構造の他方の部分を構成するものとして、外部機器等に接続する電気信号線又は電力供給線等の電気的接続線の接続端子部２２を設ける。
【００３２】
この接続端子部２２は、これを保持する部材である、例えば三脚１５に設けたカメラ本体１０を固定するための雄ねじである三脚ネジ穴螺挿用の締結ねじ２４と一体的に構成する。なお接続端子部２２は、図示しないが、外部機器等との間で信号を伝送するためのアダプタ（周辺機器又はステーション）におけるカメラ本体１０との接続部として構成し（締結ねじと一体構造にしても良い）、又は外部機器等へ信号を伝送するために接続された電気信号線の接続端子部材として構成しても良い（締結ねじと一体構造にしても良い）。
【００３３】
この接続端子部２２は、その外周部分を、一般に用いられている三脚ネジ穴１２に締結用のＪＩＳ規格における雄ねじが穿設された三脚ネジ穴螺挿用の締結ねじ２４として形成する。
【００３４】
この接続端子部２２は、締結ねじ２４の中心軸に沿った部分に、被接続接点部である接続針部１４と接続するための接続接点部である接続頭部２６を設ける。この接続頭部２６は、円柱又は角柱状で、その先端面の中央部にすり鉢状（接続針部１４先端の円錐形状に対応した円錐凹部状）の端子接点としての接続針の受け部２８を形成する。
【００３５】
この接続端子部２２は、接続接点部である接続頭部２６の周囲を取り巻くように絶縁部材３０を配置し、接続頭部２６が、これを保持する部材である締結ねじ２４における雄ねじを穿設した外周部分から電気的に絶縁されるように構成する。
【００３６】
この接続端子部２２の接続頭部２６には、外部機器等の電気通信手段（インタフェース、電気信号の送信又は受信を行うための通信回線、その他の電気信号を利用した通信手段）又は電力供給手段として、図示しない外部機器等から引き出した電気信号線又は電力供給線等の電気的接続線の先端部を接続する。
【００３７】
なお、この接続端子部２２は、その外周部に締結ねじ２４のねじ溝を設ける代わりに、三脚ネジ穴１２孔内に容易に抜け出さないように挿入して保持可能にすると共に三脚ネジ穴１２孔内から引き出して取り外し可能とする構成を、接続端子部２２の外周部に設けて構成しても良い。
【００３８】
また小型縦型のカメラ本体１０には、三脚ネジ穴１２部分の被接続接点部である接続針部１４が三脚１５等に設けた接続端子部２２の接続接点部である接続頭部２６と接続されて外部機器との間で送信若しくは受信又は送受信が可能な状態となっているか、又は三脚ネジ穴１２に、三脚１５の一般の締結ねじ２４が締結されているだけで、外部機器との間で送受信が不可能な状態となっているかを、検出するための接続状態の判別手段を、中央処理装置の機能の一部等として設ける。
【００３９】
この接続状態の判別手段は、カメラ本体１０の電気信号線又は電力供給線等の電気的接続線を接続する接続構造における、三脚ネジ穴１２の被接続接点部である接続針部１４と三脚ネジ穴１２の雌ねじを切った部分とが同電位であるときに、三脚１５の一般の締結ねじ２４が締結されているだけで、外部機器との間で送受信が不可能な状態と判断する。そして、カメラ本体１０は、接続状態の判別手段が外部機器との間で送受信が不可能な状態と判断した場合に、外部機器と送受信する機能を自動的に停止させる。
【００４０】
また接続状態の判別手段は、カメラ本体１０の電気信号線又は電力供給線等の電気的接続線を接続する接続構造における、三脚ネジ穴１２の接続針部１４と三脚ネジ穴１２の雌ねじを切った部分とが異なる電位であるときに、接続端子部２２の接続接点部である接続頭部２６と接続されて外部機器との間で送信若しくは受信又は送受信が可能な状態となっている状態と判断する。なお、このカメラ本体１０では、接続針部１４と三脚ネジ穴１２の雌ねじを切った部分とが異なる電位であるため送信若しくは受信又は送受信が可能な状態と判断した場合でも、さらにテスト用の信号を送信して確認するようにしても良い。
【００４１】
そして、カメラ本体１０は、接続状態の判別手段が外部機器との間で送信若しくは受信又は送受信が可能な状態と判断した場合に、外部機器と送信若しくは受信又は送受信する機能を動作状態にして、所要の通信を自動的に実行可能とする。
【００４２】
なお、図示しないがカメラ本体１０には、マニュアル操作用の通信状態の切り換えスイッチを別途設けておき、使用者の手動操作で切り換え操作を可能にしても良い。
【００４３】
また、前述したカメラ本体１０における被接続接点部である接続針部１４は、図１１に例示するように、締結ねじ２４の回転中心軸に対して偏心した位置で接続頭部２６の接続針の受け部２８部分と、接続針部１４の先端とが圧接するように構成しても良い。このように構成した場合には、締結ねじ２４を三脚ネジ穴１２内にねじ込むときの回転動作によって、接続針部１４の先端が、接続頭部２６の接続針の受け部２８の面に接触する際、これらが圧接しながら摺接することになるので、接続針部１４の先端と接続頭部２６の接続針の受け部２８の面との間の接点部分をセルフクリーニングできる。
【００４４】
よって、接続針部１４の先端と接続頭部２６の接続針の受け部２８の面との間の接触抵抗を増やすことなく、さらに例えば、接続針部１４の先端を接続頭部２６の接続針の受け部２８に圧接させる圧力を大きくすることなく、良好な接触を維持することができ、電気信号の伝達又は電源電力送電等のために、電気的に適切に接続することができる。
【００４５】
図１に示すように、小型縦型のカメラ本体１０には、その一方の側部にレリーズボタン（いわゆるシャッタボタン）３２を配置する。
【００４６】
なお、この小型縦型のカメラ本体１０では、レリーズボタン３２と共に、図示しないが、その他種々の機能用の操作ボタンを配置して構成しても良い。
【００４７】
この図１に示す小型縦型のカメラ本体１０は、被写体像を表わす映像信号をディジタル画像データに変換しかつデータ圧縮したのちに半導体メモリ（内蔵メモリ、例えば、カメラ内蔵のフラッシュメモリ、または着脱自在なカード状メモリ）に記憶するディジタル・スチル・カメラとして構成する。
【００４８】
なお、この小型縦型のカメラ本体１０では、レリーズボタン３２を、いわゆる２段ストローク・タイプのものとして構成しても良い。
【００４９】
このように構成した場合に、レリーズボタン３２は、図示しない第１と第２のスイッチを有し、レリーズボタン３２の第１段階の押下で第１スイッチがオンとなり，このオン信号に応答して撮影準備をするために合焦動作等の各種動作が開始し、レリーズボタン３２がさらに押し込まれて第２段階に達すると第２スイッチがオンとなり，このオン信号に応答して撮影動作が開始されることになる。
【００５０】
また、小型縦型のカメラ本体１０の前面には，撮像レンズ装置３４、ストロボ発光部３６、図示しないが必要に応じて、ファインダ、測距窓等が装着されている。
【００５１】
この小型縦型のカメラ本体１０の背面には、図示しない画像表示部（モニタ）を設ける。この画像表示部は、例えば、液晶ディスプレイ（ＬＣＤ）で構成する。
【００５２】
また小型縦型のカメラ本体１０の背面には、図示しないが、主電源スイッチ、テレ・ワイド設定ボタン、ストロボ強制撮影設定ボタン、時刻設定ボタン、再生モード設定ボタン、圧縮率設定ボタン等の各種操作ボタンを配置する。
【００５３】
この小型縦型のカメラ本体１０の内部には、撮像レンズ装置３４の後方に図示しないＣＣＤ（撮像素子）を配設し、撮像レンズ装置３４を通してＣＣＤの受光面に結像した被写体像を、ＣＣＤにおいて光電変換し、画像信号として順次読み出すように構成する。
【００５４】
この画像信号は、信号処理部に伝達されて、ゲイン調整、Ａ／Ｄ変換、輝度／色差信号信号生成、及びガンマ補正等の信号処理をされてから画像表示部に導かれる。そして、画像表示部上に撮影画像が表示される。
【００５５】
また、小型縦型のカメラ本体１０は、自動露出調整（ＡＥ）機能及びオートフォーカス（ＡＦ）機能を具備しており、使用者が小型縦型のカメラ本体１０の撮像レンズ装置３４を被写体に向けるだけで、最適な露出調整及びピント合わせが自動的に行われるように構成する。
【００５６】
そしてこのとき画像表示部に映し出される画像（プレビュー動画）を見ながら構図を決定し、レリーズボタン３２を押圧すると、画像表示部の画像が静止（フリーズ）し、レリーズボタン３２の押圧時にＣＣＤから読み出された画像信号が所定の処理を経て内蔵メモリ、例えば、カメラ内蔵のフラッシュメモリ、または着脱自在なカード状メモリ等の記録部に記録される。そして、かかる記録処理が完了すると、フリーズを解除して動画又は間欠画表示のモードに戻る。
【００５７】
また、小型縦型のカメラ本体１０は、再生モードを有し、記録部に記録されている画像データを読み出してその画像を画像表示部上に表示したり、或いは、図示しないパーソナルコンピュータ（パソコン）等の外部機器へ、三脚ネジ穴１２部分に設けた電気信号線又は電力供給線等の電気的接続線を接続する接続構造の接続針部１４が圧接する接続接点部である接続頭部２６等を介して画像データを受入し、その画像を画像表示部（モニタ）上に表示可能とし、又はカメラ本体１０で撮影した画像データを外部機器へ送信可能に構成する。
【００５８】
次に、上述のように構成された本第１実施の形態に係る、三脚ネジ穴１２部分に設けた電気信号線又は電力供給線等の電気的接続線を接続する接続構造を具備する小型縦型のカメラ本体１０の作用及び使用方法について説明する。
【００５９】
このカメラ本体１０は、縦（高さ）８０ｍｍ以下の小型縦型に構成されており、その底部にＪＩＳ規格の三脚ネジ穴１２が配置されている。
【００６０】
このような小型縦型のカメラ本体１０は、これを使用する場合に、三脚１５に固定して使用すると便利である。そこで、小型縦型のカメラ本体１０は、その三脚ネジ穴１２に三脚１５の締結ねじ２４を螺挿して、三脚１５上に保持した状態で使用する。
【００６１】
このように三脚ネジ穴１２内に締結ねじ２４を螺挿すると、締結ねじ２４の接続頭部２６が三脚ネジ穴１２の奥底へ挿入される動作によって、接続頭部２６の接続針の受け部２８に被接続接点部である接続針部１４の先端が当たる。さらに接続頭部２６が三脚ネジ穴１２の奥底へ挿入される動作によって、接続接点部である接続頭部２６は、圧縮コイルばね１６の付勢力に抗して接続針部１４を三脚ネジ穴１２の内部から押し出しながら図３に示す、三脚ネジ穴１２に接続端子部２２の締結ねじ２４が締結された状態となる。
【００６２】
この三脚ネジ穴１２に接続端子部２２の締結ねじ２４が締結された状態では、接続接点部である接続頭部２６のすり鉢状の接続針の受け部２８内に、被接続接点部である接続針部１４の円錐状に尖った先端部が、圧縮コイルばね１６による所定の付勢力で圧接され、電気的に適切に接続された状態となる。
【００６３】
さらに、この状態では、三脚ネジ穴１２に締結ねじ２４が締結されているので、三脚ネジ穴１２から締結ねじ２４が緩んで自然に抜け落ちるようなことが起こりにくいと共に、三脚ネジ穴１２に対して締結ねじ２４が不動な状態を維持して締結されているから、接続頭部２６と接続針部１４との相対的な位置も不動となって、これらの間に働く圧接力も一定に保たれるから、接続頭部２６と接続針部１４との間の電気的接続を一定に保って良好に通信できる。
【００６４】
この小型縦型のカメラ本体１０では、その電気信号線又は電力供給線等の電気的接続線を接続する接続構造としての三脚ネジ穴１２に、三脚１５に設けた接続端子部２２の締結ねじ２４を締結する操作を行うと、小型縦型のカメラ本体１０の図示しない中央処理装置が、自動的に接続状態の判別手段を働かせて外部機器との間で送信若しくは受信又は送受信が可能な状態と判断した場合に、外部機器と送信若しくは受信又は送受信する機能を動作状態にし、所要の通信を自動的に実行可能とする。
【００６５】
よって、使用者は、カメラ本体１０で撮影した画像信号を外部機器へ送信して所望の処理を実行したり、又は外部機器で生成された信号に基づいてカメラ本体１０のモニタに画像を表示したり、カメラ本体１０の各機能を動作制御すること等の種々の操作をすることができる。
【００６６】
また、小型縦型のカメラ本体１０では、三脚１５に設けた接続端子部２２の締結ねじ２４を取り外すと、小型縦型のカメラ本体１０の図示しない中央処理装置が、自動的に接続状態の判別手段を働かせて外部機器との間で送受信が不可能な状態と判断する。そして、カメラ本体１０は、接続状態の判別手段が外部機器との間で送受信が不可能な状態と判断した場合に、外部機器と送受信する機能を自動的に停止させる。
【００６７】
また、このカメラ本体１０では、三脚ネジ穴１２に三脚１５の一般の締結ねじ２４が締結された場合でも、中央処理装置が自動的に外部機器と送受信する機能を自動的に停止させる。
【００６８】
なお、本第１実施の形態では、小型縦型のカメラ本体１０についての構成を説明したが、本発明は、いかなる種類の光学機器にも適用可能である。本発明の光学機器は、例えばフィルムを光化学的に感光して被写体像をフィルムに固定する通常の銀塩カメラ，固体電子撮像素子（たとえばＣＣＤ）を用い，この固体電子撮像素子から出力される被写体像を表わす映像信号を磁気的または電子的に固定する（フロッピィ・ディスクに記録するまたはメモリ等に記憶する）スチル・ビデオ・カメラであっても良い。
【００６９】
次に、本発明の第２実施の形態について図４及び図５により説明する。本第２実施の形態では、外部機器側の接続すべき所定の電気信号線又は電力供給線等の電気的接続線を接続する接続構造である接続端子部２２だけが、カメラ本体１０の三脚ネジ穴１２によって送信若しくは受信又は送受信可能に接続できるように構成する。
【００７０】
このため、カメラ本体１０には、その三脚ネジ穴１２の底部中央に開口し、円柱状の孔状に形成された挿入孔３８を設ける。この挿入孔３８内には、被接続接点部である接続針部１４の先端部を臨ませる。このとき、接続針部１４は、その先端部が挿入孔３８内から突出しないように、すなわち接続針部１４の先端部が挿入孔３８内に在って三脚ネジ穴１２の底面から三脚ネジ穴１２の孔内へ突出しないように装着する。
【００７１】
また、接続端子部２２には、その締結ねじ２４に設けた接続頭部２６の自由端部分を、挿入孔３８内に挿入可能な突部を形作るよう締結ねじ２４の先端面より所定高さ突出させることにより、接続接点部としての接続突出頭部２６Ａを構成する。
【００７２】
なお、挿入孔３８の上底面に当たる挿通孔部１８の中央部には、接続針部１４を装着する。さらに、接続突出頭部２６Ａの自由端面中央部には、接続針の受け部２８を、被接続接点部である接続針部１４の中心軸線上に対応するよう穿設する。
【００７３】
次に、上述のように構成された本第２実施の形態に係る光学機器における電気信号線又は電力供給線等の電気的接続線を接続する接続構造に係わる作用及び使用方法について説明する。
【００７４】
本第２実施の形態に係る光学機器における電気信号線又は電力供給線等の電気的接続線を接続する接続構造では、図４に示すように、カメラ本体１０の三脚ネジ穴１２の直下から接続端子部２２の締結ねじ２４を螺挿することにより、カメラ本体１０を接続端子部２２が設けられた三脚１５上にセットできる。
【００７５】
このとき、締結ねじ２４が三脚ネジ穴１２内へ螺挿される動作に伴ない、接続接点部としての接続突出頭部２６Ａが挿入孔３８内に挿入され、接続突出頭部２６Ａの接続針の受け部２８に被接続接点部である接続針部１４の先端が所定の圧接力で圧接した、図５に示す締結接続状態に至る。
【００７６】
これにより、接続突出頭部２６Ａを有する接続頭部２６と接続針部１４とが電気的に安定して接続し、良好に通信可能な状態にセットされる。なお、接続端子部２２をカメラ本体１０から取り外すときには、三脚ネジ穴１２から接続端子部２２を外せば、接続針部１４が圧縮コイルばね１６の付勢力で所定長さ挿入孔３８内に突出させられることにより、図４に示す初期の状態に自動的に復帰する。
【００７７】
また、本第２実施の形態に係る光学機器における電気信号線又は電力供給線等の電気的接続線を接続する接続構造で、三脚ネジ穴１２に、三脚１５の一般の締結ねじ２４（電気信号線又は電力供給線等の電気的接続線を接続する接続構造を具備しないただのねじ部品）を締結する場合には、三脚ネジ穴１２に締結ねじ２４を螺挿すると、締結ねじ２４の先端面が三脚ネジ穴１２の底面までしか入り込めないので、締結ねじ２４の先端面が挿入孔３８の内部にある接続針部１４に接触することは無い。
【００７８】
よって、三脚１５の一般の締結ねじ２４（電気信号線又は電力供給線等の電気的接続線を接続する接続構造を具備しないただのねじ部品）が、被接続接点部である接続針部１４に電気的に接続することを防止できる。このため、外部機器側の接続すべき所定の電気信号線又は電力供給線等の電気的接続線を接続する接続構造である接続端子部２２だけが、カメラ本体１０の三脚ネジ穴１２によって送信若しくは受信又は送受信可能に接続できることになる。
【００７９】
なお、本第２実施の形態における以上説明した以外の構成、作用、及び効果は前述した第１実施の形態と同様であるので、同一部材には同一符号を付すこととし、その説明を省略する。
【００８０】
次に、本発明の第３実施の形態について図６及び図７により説明する。本第３実施の形態では、外部機器側の接続すべき所定の電気信号線又は電力供給線等の電気的接続線を接続する接続構造である接続端子部２２だけが、カメラ本体１０の三脚ネジ穴１２によって送信若しくは受信又は送受信可能に接続できるようにすると共に、電気的に確実に接続可能に構成する。
【００８１】
このため、カメラ本体１０には、その三脚ネジ穴１２の底部中央を貫通するように円柱状の孔状に開口された挿入孔３８を設ける。また、カメラ本体１０には、挿入孔３８に連通する有底の窪み状（逆Ｕ字状の窪み状）の穴部である挿通孔４０を形成するケース１７を設ける。この挿通孔４０の上底に当たるケース１７の上底面中央部には、被接続接点部である接続針部１４を下方に向けて突設する。このとき、接続針部１４は、その先端部が挿入孔３８及び挿通孔４０内から突出しないように、すなわち接続針部１４が挿入孔３８及び挿通孔４０内に在って、その先端部三脚ネジ穴１２の底面から三脚ネジ穴１２の孔内へ突出しないように突設する。
【００８２】
また、接続端子部２２には、その締結ねじ２４に設けた接続接点部としての接続頭部２６の自由端部分を締結ねじ２４の先端面より所定高さ突出させ、挿入孔３８内に挿入可能な挟持接続突部２７を構成する。
【００８３】
この挟持接続突部２７は、弾性変形が容易な導体材料を２本（１本又は複数本でも良い）に分かれた角状に形成し、その相互に向き合った側面からそれぞれ断面小三角形状の接続突起を形成する。
【００８４】
また、挟持接続突部２７は、その２本に分かれた角状部分の間に当たる空間が、被接続接点部である接続針部１４の中心軸線に沿う縦長の隙間を設ける。
【００８５】
そして、この挟持接続突部２７の２本に分かれた角状部分の間にある縦長の隙間に、被接続接点部である接続針部１４が挿入されて、図７に示すように、挟持接続突部２７が接続針部１４を、片側から押しつけて、または両側から挟み付けて圧接し、電気的に確実に接続可能なように構成する。
【００８６】
次に、上述のように構成された本第３実施の形態に係る光学機器における電気信号線又は電力供給線等の電気的接続線を接続する接続構造に係わる作用及び使用方法について説明する。
【００８７】
本第３実施の形態に係る光学機器における電気信号線又は電力供給線等の電気的接続線を接続する接続構造では、図６に示すように、カメラ本体１０の三脚ネジ穴１２の直下から接続端子部２２の締結ねじ２４を螺挿することにより、カメラ本体１０を接続端子部２２が設けられた三脚１５上にセットできる。
【００８８】
このとき、締結ねじ２４が三脚ネジ穴１２内へ螺挿される動作に伴ない、接続接点部としての挟持接続突部２７が挿入孔３８内に挿入され、挟持接続突部２７が接続針部１４を両側から挟み付けて所定の圧接力で圧接した、図７に示す締結接続状態に至る。
【００８９】
これにより、挟持接続突部２７を有する接続頭部２６と接続針部１４とが電気的に安定して接続し、良好に通信可能な状態にセットされる。なお、接続端子部２２をカメラ本体１０から取り外すときには、三脚ネジ穴１２から接続端子部２２を外せば、接続針部１４が挟持接続突部２７の２本に分かれた角状部分の間にある縦長の隙間から引き抜かれることにより、図６に示す初期の状態に自動的に復帰する。
【００９０】
また、本第３実施の形態に係る光学機器における電気信号線又は電力供給線等の電気的接続線を接続する接続構造で、三脚ネジ穴１２に、三脚１５の一般の締結ねじ２４（電気信号線又は電力供給線等の電気的接続線を接続する接続構造を具備しないただのねじ部品）を締結する場合には、三脚ネジ穴１２に締結ねじ２４を螺挿すると、締結ねじ２４の先端面が三脚ネジ穴１２の底面までしか入り込めないので、締結ねじ２４の先端面が挿入孔３８の内部にある接続針部１４に接触することは無い。
【００９１】
よって、三脚１５の一般の締結ねじ２４（電気信号線又は電力供給線等の電気的接続線を接続する接続構造を具備しないただのねじ部品）が、被接続接点部である接続針部１４に電気的に接続することを防止できる。このため、外部機器側の接続すべき所定の電気信号線又は電力供給線等の電気的接続線を接続する接続構造である接続端子部２２だけが、カメラ本体１０の三脚ネジ穴１２によって送信若しくは受信又は送受信可能に接続できることになる。
【００９２】
なお、本第３実施の形態における以上説明した以外の構成、作用、及び効果は前述した第１実施の形態又は第２実施の形態と同様であるので、同一部材には同一符号を付すこととし、その説明を省略する。
【００９３】
次に、本発明の第４実施の形態について図８乃至図１０により説明する。本第４実施の形態では、外部機器側の接続すべき所定の電気信号線又は電力供給線等の電気的接続線を接続する接続構造を、三脚ネジ穴１２と、ビデオムービ（カメラ一体型ビデオテープレコーダ）等でも標準に設けられている回り止め部材との部分に、それぞれ設けて構成したものである。
【００９４】
この小型縦型のカメラ本体１０は、縦長な矩形状に形成し、その底部中央にＪＩＳ又はＩＳＯ規格の雌ねじを切った三脚ネジ穴１２を配置すると共に、三脚ネジ穴１２から規格に定められた所定方向に所定距離だけ離れた所定位置に回り止め部材を嵌挿する丸穴状の回り止め穴１９を穿孔する。この小型縦型のカメラ本体１０は、その三脚ネジ穴１２に三脚１５の台部に設置した雄ねじである締結ねじ２４を螺挿することによって三脚１５に固定した状態にすると共に、回り止め穴１９に回り止め部材２１を嵌挿して、三脚１５に対してカメラ本体１０の向く方向を不動に固定した状態で撮影の作業を行えるようにする。
【００９５】
これと共に、小型縦型のカメラ本体１０には、その三脚ネジ穴１２部分に電気信号線又は電力供給線等の電気的接続線を接続する接続構造を設けると共に、その回り止め穴１９部分に電気信号線又は電力供給線等の電気的接続線を接続する接続構造を設ける。
【００９６】
図９及び図１０に示すように小型縦型のカメラ本体１０には、三脚ネジ穴１２の穴部分に前述した図２及び図３に示したと同等の電気信号線又は電力供給線等の電気的接続線を接続する接続構造を設ける。
【００９７】
また、図９及び図１０に示すように小型縦型のカメラ本体１０には、回り止め穴１９の穴部分に前述した図２及び図３に示したと同様の構成である電気信号線又は電力供給線等の電気的接続線を接続する接続構造の一方の部分として、回り止め穴１９の穴底（閉塞部）中央部分に挿通孔部１８を構成し、この挿通孔部１８の中心部に穿孔した貫通孔内に被接続接点部である接続針部１４Ａを摺動自在に挿通する。さらに、この接続針部１４Ａは、その後端をケース１７との間に架設した圧縮コイルばね１６で押すように付勢し、被接続接点部である接続針部１４Ａの先端部が、回り止め穴１９の穴底の貫通孔から所定長さ延出すると共に、伸縮動作可能なように装着する。
【００９８】
この被接続接点部である接続針部１４Ａは、電気的な接続を確実かつ良好にするため、導電性の良好な材料で形成すると共に、その先端部を円錐状に尖った頭部に形成する。なお、接続針部１４Ａには、三脚ネジ穴１２の穴底の貫通孔から抜け落ちないようにするストッパを設ける。
【００９９】
このカメラ本体１０では、図示しないが、その内部に設置した電気通信手段（インタフェース、電気信号の送信又は受信を行うための通信回線、その他の電気信号を利用した通信手段）又は電力供給手段から引き出した電気信号線又は電力供給線等の電気的接続線を被接続接点部である接続針部１４Ａに接続する。
【０１００】
また、回り止め穴１９の穴底（閉塞部）部分には、接続針部１４Ａと回り止め穴１９の内周面部分との間で電気的に絶縁するため、挿通孔部１８の周囲を取り巻くように絶縁部材２０を配置する。
【０１０１】
図９及び図１０に示すように、小型縦型のカメラ本体１０の回り止め穴１９部分に接続された状態で電気信号線又は電力供給線等の電気的接続線を接続する接続構造の他方の部分を構成するものとして、外部機器等に接続する電気信号線又は電力供給線等の電気的接続線の接続端子部２２Ａを設ける。
【０１０２】
この接続端子部２２Ａは、これを保持する部材である、例えば三脚１５に設けたカメラ本体１０の回り止めをするための小円柱状の部材である回り止め部材２１と一体的に構成する。なお接続端子部２２Ａは、図示しないが、外部機器等との間で信号を伝送するためのアダプタ（周辺機器又はステーション）におけるカメラ本体１０との接続部として構成し（回り止め部材と一体構造にしても良い）、又は外部機器等へ信号を伝送するために接続された電気信号線又は電力供給線等の電気的接続線の接続端子部材として構成しても良い（回り止め部材と一体構造にしても良い）。
【０１０３】
この回り止め部材２１は、その外形を、一般に用いられている三脚１５に設ける規格上の回り止め部材として形成する。
【０１０４】
この回り止め部材２１は、その中心軸に沿った部分に、被接続接点部である接続針部１４Ａと接続するための接続接点部である接続頭部２５を設ける。この接続頭部２５は、円柱又は角柱状で、その先端面の中央部にすり鉢状（接続針部１４Ａ先端の円錐形状に対応した円錐凹部状）の端子接点としての接続針の受け部２８を形成する。
【０１０５】
この回り止め部材２１は、接続接点部である接続頭部２５の周囲を取り巻くように絶縁部材３０を配置し、接続頭部２５が、これを保持する部材である回り止め部材２１の外周部分から電気的に絶縁されるように構成する。
【０１０６】
この回り止め部材２１の接続頭部２５には、外部機器等の電気通信手段（インタフェース、電気信号の送信又は受信を行うための通信回線、その他の電気信号を利用した通信手段）又は電力供給手段として、図示しない外部機器等から引き出した電気信号線又は電力供給線等の電気的接続線の先端部を接続する。
【０１０７】
また小型縦型のカメラ本体１０には、回り止め穴１９部分の被接続接点部である接続針部１４Ａが三脚１５等に設けた接続端子部２２Ａの接続接点部である接続頭部２５と接続されて外部機器との間で送信若しくは受信又は送受信が可能な状態となっているか、又は回り止め穴１９に、三脚１５の一般の回り止め部材２１が嵌挿されているだけで、外部機器との間で送受信が不可能な状態となっているかを、検出するための接続状態の判別手段を、中央処理装置の機能の一部等として設ける。
【０１０８】
この接続状態の判別手段は、カメラ本体１０の電気信号線又は電力供給線等の電気的接続線を接続する接続構造における、回り止め穴１９の被接続接点部である接続針部１４Ａと回り止め穴１９の内側面部分とが同電位であるときに、三脚１５の一般の回り止め部材が締結されているだけで、外部機器との間で送受信が不可能な状態と判断する。そして、カメラ本体１０は、接続状態の判別手段が外部機器との間で送受信が不可能な状態と判断した場合に、外部機器と送受信する機能を自動的に停止させる。
【０１０９】
また接続状態の判別手段は、カメラ本体１０の電気信号線又は電力供給線等の電気的接続線を接続する接続構造における、回り止め穴１９の接続針部１４Ａと回り止め穴１９の内側面部分とが異なる電位であるときに、接続端子部２２Ａの接続接点部である接続頭部２５と接続されて外部機器との間で送信若しくは受信又は送受信が可能な状態となっている状態と判断する。なお、このカメラ本体１０では、接続針部１４Ａと回り止め穴１９の内側面部分とが異なる電位であるため送信若しくは受信又は送受信が可能な状態と判断した場合でも、さらにテスト用の信号を送信して確認するようにしても良い。
【０１１０】
そして、カメラ本体１０は、接続状態の判別手段が外部機器との間で送信若しくは受信又は送受信が可能な状態と判断した場合に、外部機器と送信若しくは受信又は送受信する機能を動作状態にして、所要の通信を自動的に実行可能とする。
【０１１１】
なお、図示しないがカメラ本体１０には、マニュアル操作用の通信状態の切り換えスイッチを別途設けておき、使用者の手動操作で切り換え操作を可能にしても良い。
【０１１２】
また、小型縦型のカメラ本体１０は、図示しないパーソナルコンピュータ（パソコン）等の外部機器へ、三脚ネジ穴１２部分に設けた電気信号線又は電力供給線等の電気的接続線を接続する接続構造の接続針部１４が圧接する接続接点部である接続頭部２６と、回り止め穴１９部分に設けた電気信号線又は電力供給線等の電気的接続線を接続する接続構造の接続針部１４Ａが圧接する接続接点部である接続頭部２５との、２つのルートを介して画像データを受入し、その画像を画像表示部（モニタ）上に表示可能とし、若しくはカメラ本体１０で撮影した画像データを外部機器へ送信し、又は音声データを同時に授受可能に構成する。
【０１１３】
次に、上述のように構成された本第４実施の形態に係る、三脚ネジ穴１２部分に設けた電気信号線又は電力供給線等の電気的接続線を接続する接続構造と、回り止め穴１９部分に設けた電気信号線又は電力供給線等の電気的接続線を接続する接続構造とを具備する小型縦型のカメラ本体１０の作用及び使用方法について説明する。
【０１１４】
このカメラ本体１０は、縦（高さ）８０ｍｍ以下の小型縦型に構成されており、その底部にＪＩＳ規格の三脚ネジ穴１２と回り止め穴１９とが所定の配置て設けられている。
【０１１５】
このような小型縦型のカメラ本体１０は、これを使用する場合に、三脚１５に固定して使用すると便利である。そこで、小型縦型のカメラ本体１０は、その三脚ネジ穴１２に三脚１５の締結ねじ２４を螺挿すると共に、その回り止め穴１９に三脚１５の回り止め部材２１を嵌挿して、三脚１５上で回らないように固定して保持した状態で使用する。
【０１１６】
このように三脚ネジ穴１２内に締結ねじ２４を螺挿すると、締結ねじ２４の接続頭部２６が三脚ネジ穴１２の奥底へ挿入される動作によって、接続頭部２６の接続針の受け部２８に被接続接点部である接続針部１４の先端が当たる。さらに接続頭部２６が三脚ネジ穴１２の奥底へ挿入される動作によって、接続接点部である接続頭部２６は、圧縮コイルばね１６の付勢力に抗して接続針部１４を三脚ネジ穴１２の内部から押し出しながら図１０に示す、三脚ネジ穴１２に接続端子部２２の締結ねじ２４が締結された状態となる。
【０１１７】
この三脚ネジ穴１２に接続端子部２２の締結ねじ２４が締結された状態では、接続接点部である接続頭部２６のすり鉢状の接続針の受け部２８内に、被接続接点部である接続針部１４の円錐状に尖った先端部が、圧縮コイルばね１６による所定の付勢力で圧接され、電気的に適切に接続された状態となる。
【０１１８】
さらに、この状態では、三脚ネジ穴１２に締結ねじ２４が締結されているので、三脚ネジ穴１２から締結ねじ２４が緩んで自然に抜け落ちるようなことが起こりにくいと共に、三脚ネジ穴１２に対して締結ねじ２４が不動な状態を維持して締結されているから、接続頭部２６と接続針部１４との相対的な位置も不動となって、これらの間に働く圧接力も一定に保たれるから、接続頭部２６と接続針部１４との間の電気的接続を一定に保って良好に通信できる。
【０１１９】
これと共に、三脚１５にカメラ本体１０を取りつける作業により、回り止め部材２１が回り止め穴１９の奥底へ挿入されることになる。この動作によって、接続頭部２５の接続針の受け部２８に被接続接点部である接続針部１４Ａの先端が当たる。さらに接続頭部２５が回り止め穴１９の奥底へ挿入される動作によって、接続接点部である接続頭部２５は、圧縮コイルばね１６の付勢力に抗して接続針部１４Ａを回り止め穴１９の内部から押し出しながら図１０に示す、回り止め穴１９に接続端子部２２Ａの回り止め部材２１が嵌挿された状態となる。
【０１２０】
この回り止め穴１９に接続端子部２２Ａの回り止め部材２１が締結された状態では、接続接点部である接続頭部２５のすり鉢状の接続針の受け部２８内に、被接続接点部である接続針部１４Ａの円錐状に尖った先端部が、圧縮コイルばね１６による所定の付勢力で圧接され、電気的に適切に接続された状態となる。
【０１２１】
さらに、この状態では、三脚ネジ穴１２に締結ねじ２４が締結されているので、回り止め穴１９から回り止め部材２１が自然に抜け落ちるようなことが起こりにくいと共に、接続頭部２５と接続針部１４Ａとの相対的な位置も不動となって、これらの間に働く圧接力も一定に保たれるから、接続頭部２５と接続針部１４Ａとの間の電気的接続を一定に保って良好に通信又は電力供給ができる。
【０１２２】
この小型縦型のカメラ本体１０では、その電気信号線を接続する接続構造としての三脚ネジ穴１２に三脚１５に設けた接続端子部２２の締結ねじ２４を締結すると共に、回り止め穴１９に回り止め部材２１を嵌挿する操作を行うと、小型縦型のカメラ本体１０の図示しない中央処理装置が、自動的に各接続状態の判別手段を働かせてそれぞれ外部機器との間で送信若しくは受信又は送受信が可能な状態と判断した場合に、それぞれ外部機器と送信若しくは受信又は送受信する機能を動作状態にし、それぞれ所要の通信を自動的に実行可能とする。
【０１２３】
よって、使用者は、カメラ本体１０で撮影した画像信号と音声信号とを同時に２つのルートを通じてそれぞれ外部機器へ送信して所望の処理を実行したり、又は２つのルートを通じて外部機器で生成された信号に基づいてカメラ本体１０のモニタに画像を表示したり、２つのルートを通じてカメラ本体１０の各機能を動作制御すること等の種々の操作をすることができる。
【０１２４】
また、小型縦型のカメラ本体１０では、三脚１５に設けた接続端子部２２の締結ねじ２４を取り外し、回り止め穴１９から回り止め部材２１を引き抜くと、小型縦型のカメラ本体１０の図示しない中央処理装置が、自動的に接続状態の判別手段を働かせて外部機器との間で送受信が不可能な状態と判断する。そして、カメラ本体１０は、接続状態の判別手段が外部機器との間で送受信が不可能な状態と判断した場合に、外部機器と送受信する機能を自動的に停止させる。
【０１２５】
さらに、このカメラ本体１０では、三脚ネジ穴１２に三脚１５の一般の締結ねじ２４が締結された場合又は回り止め穴１９に一般の回り止め部材２１が嵌挿された場合でも、中央処理装置が自動的に外部機器と送受信する機能を自動的に停止させる。
【０１２６】
また、本第４実施の形態では、外部機器側の接続すべき所定の電気信号線を接続する接続構造が２組あり、２つのルートで別々の信号を同時に送受信することが可能となるから、映像信号、音声信号、制御信号等の各種の信号を２つのルートを通じてより効率良く、かつ送受信にかかる時間を半減するといったように迅速に送受信でき、雑音も入らないように送受信できる。さらに、２つのルートを使ってアナログ信号とデジタル信号とを別々に送受信でき、加えて２つのルートを使って別々の電子機器に同時に送受信することもできる。
【０１２７】
また、本第４実施の形態では、図１２及び図１３に示すように、回り止め穴部分に対応して複数、例えば３つの電気的接続を可能とする手段を構成しても良い。
【０１２８】
この複数、例えば３つの電気的接続を可能とする手段の一方の部分を構成するため、小型縦型のカメラ本体１０には、電気信号線又は電力供給線等の電気的接続線を接続する接続構造の一部分である丸穴状の回り止め穴１９部分に、直径方向に延出するようそれぞれ横穴状に開口する補助穴３１、３３を穿設する。
【０１２９】
この一方の補助穴３１内には、被接続接点部である接続針部１４Ａを第１の被接続接点部としたとき、第２の被接続接点部となる接続部材３５を配置する。
【０１３０】
また、他方の補助穴３３内には、被接続接点部である接続針部１４Ａを第１の被接続接点部とし、接続部材３５を第２の被接続接点部としたとき、第３の被接続接点部となる接続部材３７を配置する。
【０１３１】
これら第２の被接続接点部となる接続部材３５と第３の被接続接点部となる接続部材３７とは、それぞれ回り止め部材２１に滑らかに摺接可能なようにするために自由端部がくの字状に屈曲した小変形弾性板材で構成する。
【０１３２】
これら第２の被接続接点部となる接続部材３５と第３の被接続接点部となる接続部材３７とを構成する小変形弾性板材は、各々基端部をねじで各対応する補助穴３１、３３の内部底面に締結し、片持梁状に支持されて各先端部を若干回り止め穴１９内に臨ませるよう配置する。
【０１３３】
図１２及び図１３に示すように、小型縦型のカメラ本体１０の回り止め穴１９部分に接続された状態で複数、例えば３つの電気的接続を可能とする手段における接続構造の他方の部分を構成するものとして、外部機器等に接続する複数、例えば３つの電気的接続を可能とする手段を構成する接続端子部２２Ａを設ける。
【０１３４】
この接続端子部２２Ａは、これを保持する部材である、例えば三脚１５に設けたカメラ本体１０の回り止めをするための小円柱状の部材である回り止め部材２１と一体的に構成する。
【０１３５】
この回り止め部材２１は、その外形形状を、一般に用いられている三脚１５に設ける規格上の回り止め部材と同等に形成する。
【０１３６】
この回り止め部材２１は、その中心軸に沿った部分に、第１の被接続接点部としての接続針部１４Ａと接続するための、第１の接続接点部である接続頭部２５を設ける。この接続頭部２５は、円柱又は角柱状で、その先端面の中央部にすり鉢状（接続針部１４Ａ先端の円錐形状に対応した円錐凹部状）の端子接点としての接続針の受け部２８を形成する。
【０１３７】
また、回り止め部材２１には、その円周面部分を略半周に渡る２つの部分に分割し、その一方の略半周に渡る部分を、第２の被接続接点部となる接続部材３５と接続するための、第２の接続接点部となる接続外面部３９として構成する。
【０１３８】
さらに、回り止め部材２１には、その円周面部分を略半周に渡る２つの部分に分割した他方の略半周に渡る部分を、第３の被接続接点部となる接続部材３７と接続するための、第３の接続接点部となる接続外面部４１として構成する。
【０１３９】
この回り止め部材２１は、接続接点部である接続頭部２５の周囲を取り巻くように絶縁部材３０を配置し、接続頭部２５が、これを保持する部材である回り止め部材２１の外周部分から電気的に絶縁されるように構成する。
【０１４０】
これと共に、回り止め部材２１の円周面部分は、略半周に渡る２つの部分に分割した、第２の接続接点部となる接続外面部３９と第３の接続接点部となる接続外面部４１との間を隔絶するように電気絶縁部材３０Ａを配置し、第２の接続接点部となる接続外面部３９と第３の接続接点部となる接続外面部４１とが、それぞれこれを保持する部材である回り止め部材２１の他の部分から電気的に絶縁されるように構成する。
【０１４１】
すなわち回り止め部材２１に設ける、第１の接続接点部である接続頭部２５と、第２の接続接点部となる接続外面部３９と、第３の接続接点部となる接続外面部４１とは、各々回り止め部材２１の他の部分から電気的に絶縁されるように構成する。
【０１４２】
この回り止め部材２１では、第１の接続接点部である接続頭部２５と、第２の接続接点部となる接続外面部３９と、第３の接続接点部となる接続外面部４１とに対して、それぞれ対応する外部機器等の別々の電気通信手段（インタフェース、電気信号の送信又は受信を行うための通信回線、その他の電気信号を利用した通信手段）又は電力供給手段から引き出した電気信号線又は電力供給線等の電気的接続線の先端部を接続する。
【０１４３】
このように構成した３つの電気的接続を可能とする手段では、図１２及び図１３に示すように、回り止め穴１９に回り止め部材２１を挿入すると、第２の被接続接点部となる接続部材３５と第３の被接続接点部となる接続部材３７とが弾性変形しながらそれぞれ対応する第２の接続接点部となる接続外面部３９又は第３の接続接点部となる接続外面部４１に圧接してそれぞれ電気的に接続する。なお、第１の接続接点部である接続頭部２５に対して接続針部１４Ａが圧接して電気的に接続することは、前述の通りである。
【０１４４】
すなわち回り止め穴１９に回り止め部材２１が挿入された接続状態において、第１の被接続接点部である接続針部１４Ａと第１の接続接点部である接続頭部２５とが接続し、第２の被接続接点部である接続部材３５と第２の接続接点部となる接続外面部３９とが接続し、第３の被接続接点部である接続部材３７と第３の接続接点部となる接続外面部４１とが接続して、３つの電気的接続を可能とする。
【０１４５】
また、この複数、例えば３つの電気的接続を可能とする手段では、回り止め穴１９から回り止め部材２１を引き出すと、これら３つの電気的接続が切り離される。
【０１４６】
さらに、この複数、例えば３つの電気的接続を可能とする手段は、図示しないが、回り止め部材２１の円周面部分を、例えば、中心角略９０度毎の４つに分割し、又は中心角略４５度毎に８つに分割し、各分割された接続接点部となる接続外面部のそれぞれに対応するように、それぞれ被接続接点部となる接続部材を装着して、所要複数の電気的接続を可能とする手段を構成することができる。
【０１４７】
このように、所要複数の電気的接続を可能とする手段によれば、回り止め穴１９とこれに嵌挿する回り止め部材２１との間で２回線以上の電気的接続が可能となり、三脚ネジ穴１２に螺挿する締結ねじ２４に設ける接続端子部２２との間で１回線の電気的接続が得られることと加え合わせると、３回線の電気的接続が可能となる。
【０１４８】
さらに、所要複数の電気的接続を可能とする手段によれば、回り止め穴１９とこれに嵌挿する回り止め部材２１との間で所要多数だけ回線を増やして電気的接続を可能とできる。よって、使用上のニーズに対応して回線数を増加し、同時に平行して送信若しくは受信若しくは送受信又は電力の供給を実行することができ、通信能力を向上し、通信速度を向上でき、かつ所要複数の信号回線数を確保した上で、同時に他の回線を使って電源電力の送電等を実行可能とする。
【０１４９】
なお、上述した本第４実施の形態では、外部機器側の接続すべき所定の電気信号線を接続する接続構造を、三脚ネジ穴１２と、回り止め穴１９との部分に、それぞれ設けて構成したものについて説明したが、外部機器側の接続すべき所定の電気信号線又は電力供給線等の電気的接続線を接続する接続構造を、回り止め穴１９の部分にのみ設けて構成しても良いし、外部機器側の接続すべき所定の電気信号線又は電力供給線等の電気的接続線を接続する接続構造を第２実施の形態又は第３実施の形態の構成と適宜置き換えて構成しても良いことは勿論である。
【０１５０】
また、本第４実施の形態における以上説明した以外の構成、作用、及び効果は前述した第１実施の形態、第２実施の形態又は第３実施の形態と同様であるので、同一部材には同一符号を付すこととし、その説明を省略する。
【０１５１】
【発明の効果】
本発明の光学機器は、第１に、光学機器本体に設けた三脚ネジ穴内に、締結ねじが螺挿された際に、三脚ネジ穴螺挿用の締結ねじに設けられた電気的接続線が接続された接続接点部に対して、三脚ネジ穴内に設けられた被接続接点部が電気的に接続されるよう構成する。
【０１５２】
これにより、三脚ネジ穴の構造をそのまま利用して、三脚ネジ穴内に締結ねじに設けた接続接点部を挿入保持した状態とし、この接続接点部に三脚ネジ穴内に装着した被接続接点部を電気的に接続させることができるという効果がある。これにより、被接続接点部に電気的接続線が接続された光学機器と接続接点部に電気的接続線で接続された外部機器との間で送信若しくは受信若しくは送受信又は電力の供給が可能な状態とできる。よって光学機器の外面部分に設ける三脚ネジ穴と接続端子部分とを兼用させて、これら両者の構成を一体化し簡素な構成とし余分な接続端子専用の穴部を設けないで済むようにして省スペース化を計り、光学機器を小型化できるとと共に、外観をデザイン的にスマートにできるという効果がある。
【０１５３】
第２に、光学機器本体に設けた三脚ネジ穴内に、締結ねじが螺挿された際に、三脚ネジ穴螺挿用の締結ねじに設けられた電気的接続線が接続された接続接点部に対して、三脚ネジ穴内の穴底部分から先端部を所定長さ延出し、かつ伸縮動作可能に装着されると共に、電気的接続線が接続された被接続接点部を電気的に接続されるように構成する。
【０１５４】
これにより、前述した第１の光学機器における作用、効果に加えて、三脚ネジ穴内の穴底部分から先端部を延出する被接続接点部が伸縮動作して、締結ねじに設けられた接続接点部に対して確実に電気的に接続された状態を維持するという効果がある。
【０１５５】
第３に、光学機器本体に設けた三脚ネジ穴内の穴底部分に開口する孔状の挿入孔を形成し、光学機器本体側の電気的接続線が接続された被接続接点部を、挿入孔内に先端部を延出させるように臨ませ、かつ伸縮動作可能に装着し、三脚ネジ穴に螺挿する締結ねじに設けた外部側の電気的接続線が接続された接続接点部に形成された締結ねじの先端面から所定高さ突出させた接続突出頭部が、締結ねじを三脚ネジ穴内に螺挿し挿入孔内に接続突出頭部を挿入した際に、光学機器本体側の被接続接点部に電気的に接続されるように構成する。
【０１５６】
これにより、前述した第１の光学機器における作用、効果に加えて、三脚ネジ穴内に一般の締結ねじが締結された場合には、一般の締結ねじの先端面部は平らであるから、この一般の締結ねじの先端面部に被接続接点部が接続することを防止できるという効果がある。よって、接続突出頭部を有する特定の締結ねじ以外のものが被接続接点部と電気的に接続されることを回避できるという効果がある。
【０１５７】
第４に、光学機器に設けた三脚ネジ穴と被接続接点部との間を電気的に絶縁して構成し、三脚ネジ穴螺挿用の締結ねじの接続接点部を、これを保持する部材から電気的に絶縁して構成し、三脚ネジ穴に一般の締結ねじが締結された際、被接続接点部と三脚ネジ穴の雌ねじを切った部分とが同電位であるときに、外部機器との間で送信若しくは受信若しくは送受信又は電力の供給が不可能な状態と判断し、外部機器と送信若しくは受信若しくは送受信又は電力の供給をする機能を自動的に停止させるための接続状態の判別手段を設ける。
【０１５８】
これにより、三脚ネジ穴に対して、一般の締結ねじが締結されたときは、被接続接点部と三脚ネジ穴の雌ねじを切った部分とが同電位であることを接続状態の判別手段が検知することになるので、外部機器と送信若しくは受信若しくは送受信又は電力の供給をする機能を自動的に停止させることができ、外部機器と送信若しくは受信若しくは送受信又は電力の供給をする機能が誤動作されることを回避できるという効果がある。
【０１５９】
第５に、光学機器本体に設けた三脚ネジ穴と組み合わせて利用することにより光学機器本体の回り止めを可能なように近くに配置された回り止め穴内に三脚に設けられた回り止め部材が挿入された際に、回り止め部材に設けられた電気的接続線が接続された接続接点部に対して回り止め穴内に設けられた被接続接点部が電気的に接続されるよう構成する。
【０１６０】
これにより、三脚ネジ穴に付随する回り止め穴の構造をそのまま利用して、回り止め穴内に回り止め部材に設けた接続接点部を挿入保持した状態とし、この接続接点部に回り止め穴内に装着した被接続接点部を電気的に接続させる。また、被接続接点部に電気的接続線が接続された光学機器と接続接点部に電気的接続線で接続された外部機器との間で送信若しくは受信若しくは送受信又は電力の供給が可能な状態とできるという効果がある。よって光学機器の外面部分に設ける回り止め穴と接続端子部分とを兼用させて、これら両者の構成を一体化し簡素な構成とし余分な接続端子専用の穴部を設けないで済むようにして省スペース化を計り、光学機器を小型化できるとと共に、外観をデザイン的にスマートにできるという効果がある。
【０１６１】
なお、外部機器側の接続すべき所定の電気的接続線を接続する接続構造を、光学機器本体に設けた三脚ネジ穴と、回り止め穴との２組に構成した場合には、２つのルートで別々の信号を同時に送受信することが可能となるから、映像信号、音声信号、制御信号等の各種の信号を２つのルートを通じてより効率良く、かつ送受信にかかる時間を半減するといったように迅速に送受信でき、雑音も入らないように送受信できる。さらに、２つのルートを使ってアナログ信号とデジタル信号とを別々に送受信でき、加えて２つのルートを使って別々の電子機器に同時に送受信することもできるという効果がある。
【図面の簡単な説明】
【図１】本発明の光学機器に関する第１実施の形態に係る小型縦型のカメラ本体と、これに取り付け可能な三脚を示す概略斜視図である。
【図２】本発明の光学機器に関する第１実施の形態に係るカメラ本体と、三脚に設けた接続端子部とを係合する部分の縦断面図である。
【図３】本発明の光学機器に関する第１実施の形態に係るカメラ本体に三脚に設けた接続端子部を係合した部分の縦断面図である。
【図４】本発明光学機器に関する第２実施の形態に係るカメラ本体と、三脚に設けた接続端子部とを係合する部分の縦断面図である。
【図５】本発明光学機器に関する第２実施の形態に係るカメラ本体に三脚に設けた接続端子部を係合した部分の縦断面図である。
【図６】本発明の光学機器に関する第３実施の形態に係るカメラ本体と、三脚に設けた接続端子部とを係合する部分の縦断面図である。
【図７】本発明の光学機器に関する第３実施の形態に係るカメラ本体に三脚に設けた接続端子部を係合した部分の縦断面図である。
【図８】本発明の光学機器に関する第４実施の形態に係る回り止め穴を有する小型縦型のカメラ本体と、これに取り付け可能な回り止め部材を有する三脚を示す概略斜視図である。
【図９】本発明の光学機器に関する第４実施の形態に係るカメラ本体の回り止め穴と、三脚に設けた回り止め部材との接続する部分を示す縦断面図である。
【図１０】本発明の光学機器に関する第４実施の形態に係るカメラ本体の回り止め穴に、三脚に設けた回り止め部材を係合した部分を示す縦断面図である。
【図１１】本発明の光学機器に関する第１実施の形態に係るカメラ本体に三脚に設けた接続端子部を係合した要部を取り出して示す拡大断面図である。
【図１２】本発明の光学機器に関する第４実施の形態に係るカメラ本体の回り止め穴に、三脚に設けた回り止め部材を係合した部分の他の構成例を示す縦断面図である。
【図１３】本発明の光学機器に関する第４実施の形態に係るカメラ本体の回り止め穴に、三脚に設けた回り止め部材を係合した要部を取り出して示す拡大断面図である。
【符号の説明】
１０　カメラ本体
１２　三脚ネジ穴
１４　接続針部（被接続接点部）
１４Ａ　　　　接続針部（被接続接点部）
１５　三脚
１７　ケース
１８　挿通孔部
１９　回り止め穴
２０　絶縁部材
２１　回り止め部材
２２　接続端子部
２２Ａ　　　　接続端子部
２６　接続頭部（接続接点部）
２６Ａ　　　　接続突出頭部
２７　挟持接続突部
２８　接続針の受け部
３０　絶縁部材
３８　挿入孔
４０　挿通孔
【図１】
2004056539.tif 000003
【図２】
2004056539.tif 000004
【図３】
2004056539.tif 000005
【図４】
2004056539.tif 000006
【図５】
2004056539.tif 000007
【図６】
2004056539.tif 000008
【図７】
2004056539.tif 000009
【図８】
2004056539.tif 000010
【図９】
2004056539.tif 000011
【図１０】
2004056539.tif 000012
【図１１】
2004056539.tif 000013
【図１２】
2004056539.tif 000014
【図１３】
2004056539.tif 000015